(57)【要約】【課題】走査像の歪みを補正することができる荷電粒子線装置を提供する。【解決手段】荷電粒子線装置は、荷電粒子線を走査して走査像を取得する荷電粒子線装置であって、横線部と縦線部とがそれぞれ複数配列された格子状の構造体を有する試料を撮影して得られた格子画像をフーリエ変換して、基準方向に対する横線部の角度である第１角度および基準方向に対する縦線部の角度である第２角度を求める角度測定部３８４と、格子画像において横線部の周期、および縦線部の周期を測定する周期測定部３８６と、第１角度、第２角度、横線部の周期、および縦線部の周期に基づいて、荷電粒子線の走査を補正する制御を行う走査制御部３８８と、を含む。【選択図】図２
2018195545.tif 000002
【特許請求の範囲】
【請求項１】
荷電粒子線を走査して走査像を取得する荷電粒子線装置であって、
横線部と縦線部とがそれぞれ複数配列された格子状の構造体を有する試料を撮影して得られた格子画像をフーリエ変換して、基準方向に対する前記横線部の角度である第１角度および前記基準方向に対する前記縦線部の角度である第２角度を求める角度測定部と、
前記格子画像において前記横線部の周期、および前記縦線部の周期を測定する周期測定部と、
前記第１角度、前記第２角度、前記横線部の周期、および前記縦線部の周期に基づいて、前記荷電粒子線の走査を補正する制御を行う走査制御部と、
を含む、荷電粒子線装置。
【請求項２】
請求項１において、
前記走査制御部は、
前記第１角度、前記第２角度、前記横線部の周期、および前記縦線部の周期から、前記走査像において、前記横線部の１周期分に対応する第１基本ベクトル、および前記縦線部の１周期分に対応する第２基本ベクトルを求め、
前記第１基本ベクトルおよび前記第２基本ベクトルに基づいて、前記荷電粒子線の走査を補正する制御を行う、荷電粒子線装置。
【請求項３】
請求項１または２において、
前記周期測定部は、
前記格子画像の前記横線部の法線方向の輝度勾配のプロファイルから、前記横線部の周期を求め、
前記格子画像の前記縦線部の法線方向の輝度勾配のプロファイルから、前記縦線部の周期を求める、荷電粒子線装置。
【請求項４】
請求項１または２において、
前記周期測定部では、
前記格子画像をフーリエ変換して、前記横線部の周期および前記縦線部の周期を求める、荷電粒子線装置。
【請求項５】
請求項１ないし４のいずれか１項において、
前記角度測定部は、
前記フーリエ変換により求められた前記横線部の角度を変化させつつ、変化させた前記横線部の法線方向の輝度勾配のプロファイルを取得し、取得した輝度勾配のプロファイルに基づき前記第１角度を決定し、
前記フーリエ変換により求められた前記縦線部の角度を変化させつつ、変化させた前記縦線部の法線方向の輝度勾配のプロファイルを取得し、取得した輝度勾配のプロファイルに基づき前記第２角度を決定する、荷電粒子線装置。
【請求項６】
荷電粒子線を走査して走査像を取得する荷電粒子線装置における走査像の歪み補正方法であって、
横線部と縦線部とがそれぞれ複数配列された格子状の構造体を有する試料を撮影して得られた格子画像をフーリエ変換して、基準方向に対する前記横線部の角度である第１角度および前記基準方向に対する前記縦線部の角度である第２角度を求める工程と、
前記格子画像において前記横線部の周期、および前記縦線部の周期を測定する工程と、
前記第１角度、前記第２角度、前記横線部の周期、および前記縦線部の周期に基づいて、前記荷電粒子線の走査を補正する制御を行う工程と、
を含む、走査像の歪み補正方法。
【発明の詳細な説明】
【技術分野】
【０００１】
本発明は、荷電粒子線装置および走査像の歪み補正方法に関する。
【背景技術】
【０００２】
走査電子顕微鏡（Ｓｃａｎｎｉｎｇ  Ｅｌｅｃｔｒｏｎ  Ｍｉｃｒｏｓｃｏｐｅ、ＳＥＭ）などの荷電粒子線装置では、生物、材料、半導体などの微細構造を観察、分析することができる。走査電子顕微鏡では、電子線を試料上で二次元的に走査し、電子線が照射されることで発生する二次電子や反射電子を検出して画像化する。
【０００３】
走査電子顕微鏡において、例えば、ＸＹ面内で二次元的に電子線を走査する際に、Ｘ方向の走査とＹ方向の走査とが直交していない場合、走査像（ＳＥＭ像）に歪みが生じてしまう。このように、走査電子顕微鏡では、電子線の走査が適切でない場合、走査像に歪みが生じてしまう。
【０００４】
例えば、特許文献１には、円形の形状を持つ試料を用いて、走査像が正しく円形になるように走査偏向器を調整することで、走査像の歪みを補正する方法が開示されている。
【先行技術文献】
【特許文献】
【０００５】
【特許文献１】特開２０１２−１８６０９９号公報
【発明の概要】
【発明が解決しようとする課題】
【０００６】
走査電子顕微鏡において、電子線の走査が適切に行われずに走査像に歪みが生じると、試料上の長さの計測を正確に行うことができない、また、試料の正確な形状を知ることができないなどの問題がある。
【０００７】
本発明は、以上のような問題点に鑑みてなされたものであり、本発明のいくつかの態様に係る目的の１つは、走査像の歪みを補正することができる荷電粒子線装置を提供することにある。また、本発明のいくつかの態様に係る目的の１つは、容易に走査像の歪みを補正することができる走査像の歪み補正方法を提供することにある。
【課題を解決するための手段】
【０００８】
（１）本発明に係る荷電粒子線装置は、
荷電粒子線を走査して走査像を取得する荷電粒子線装置であって、
横線部と縦線部とがそれぞれ複数配列された格子状の構造体を有する試料を撮影して得られた格子画像をフーリエ変換して、基準方向に対する前記横線部の角度である第１角度および前記基準方向に対する前記縦線部の角度である第２角度を求める角度測定部と、
前記格子画像において前記横線部の周期、および前記縦線部の周期を測定する周期測定部と、
前記第１角度、前記第２角度、前記横線部の周期、および前記縦線部の周期に基づいて、前記荷電粒子線の走査を補正する制御を行う走査制御部と、
を含む。
【０００９】
このような荷電粒子線装置では、格子画像から、第１角度、第２角度、横線部の周期、および縦線部の周期を測定して、荷電粒子線の走査を補正することができる。すなわち、このような荷電粒子線装置では、走査像の歪みの補正を自動で行うことができる。
【００１０】
（２）本発明に係る荷電粒子線装置において、
前記走査制御部は、
前記第１角度、前記第２角度、前記横線部の周期、および前記縦線部の周期から、前記走査像において、前記横線部の１周期分に対応する第１基本ベクトル、および前記縦線部の１周期分に対応する第２基本ベクトルを求め、
前記第１基本ベクトルおよび前記第２基本ベクトルに基づいて、前記荷電粒子線の走査を補正する制御を行ってもよい。
【００１１】
（３）本発明に係る荷電粒子線装置において、
前記周期測定部は、
前記格子画像の前記横線部の法線方向の輝度勾配のプロファイルから、前記横線部の周期を求め、
前記格子画像の前記縦線部の法線方向の輝度勾配のプロファイルから、前記縦線部の周期を求めてもよい。
【００１２】
（４）本発明に係る荷電粒子線装置において、
前記周期測定部では、
前記格子画像をフーリエ変換して、前記横線部の周期および前記縦線部の周期を求めてもよい。
【００１３】
（５）本発明に係る荷電粒子線装置において、
前記角度測定部は、
前記フーリエ変換により求められた前記横線部の角度を変化させつつ、変化させた前記横線部の法線方向の輝度勾配のプロファイルを取得し、取得した輝度勾配のプロファイルに基づき前記第１角度を決定し、
前記フーリエ変換により求められた前記縦線部の角度を変化させつつ、変化させた前記縦線部の法線方向の輝度勾配のプロファイルを取得し、取得した輝度勾配のプロファイルに基づき前記第２角度を決定してもよい。
【００１４】
（６）本発明に係る走査像の歪み補正方法は、
荷電粒子線を走査して走査像を取得する荷電粒子線装置における走査像の歪み補正方法であって、
横線部と縦線部とがそれぞれ複数配列された格子状の構造体を有する試料を撮影して得られた格子画像をフーリエ変換して、基準方向に対する前記横線部の角度である第１角度および前記基準方向に対する前記縦線部の角度である第２角度を求める工程と、
前記格子画像において前記横線部の周期、および前記縦線部の周期を測定する工程と、
前記第１角度、前記第２角度、前記横線部の周期、および前記縦線部の周期に基づいて、前記荷電粒子線の走査を補正する制御を行う工程と、
を含む。
【００１５】
このような走査像の歪み補正方法では、格子画像から、第１角度、第２角度、横線部の周期、および縦線部の周期を測定して、荷電粒子線の走査を補正することができる。そのため、このような走査像の歪み補正方法では、走査像の歪みの補正を、容易に行うことができる。
【図面の簡単な説明】
【００１６】
【図１】本実施形態に係る走査電子顕微鏡の構成を示す図。
【図２】走査信号発生器、ＳＲＴ回路、走査方向補正回路、走査振幅調整回路、走査コイル駆動アンプを説明するための図。
【図３】格子画像の一例を示す図。
【図４】格子画像の縁部（四辺）をぼかした図。
【図５】格子画像をフーリエ変換した結果を示す図。
【図６】格子画像をフーリエ変換した結果を模式的に示す図。
【図７】フーリエ変換の結果の画像において、画像の中心から動径方向に輝度を積分した結果を示すグラフ。
【図８】格子画像の横線部の法線方向の輝度勾配のプロファイル。
【図９】輝度勾配のプロファイルにおいて最も絶対値が大きいピークを拡大した図。
【図１０】格子画像の横線部の法線方向の輝度勾配のプロファイル。
【図１１】格子画像の一例を示す図。
【図１２】格子画像の横線部の法線方向の輝度勾配のプロファイル。
【図１３】横線部の１周期分に対応する基本ベクトルおよび縦線部の１周期分に対応する基本ベクトルを示す図。
【図１４】等方的倍率誤差を説明するための図。
【図１５】角度誤差を説明するための図。
【図１６】楕円歪み実数部を説明するための図。
【図１７】楕円歪み虚数部を説明するための図。
【図１８】走査補正装置における走査像の歪みを補正する処理の流れを示すフローチャート。
【図１９】試料ステージに搭載された歪み測定用の標準試料を模式的に示す図。
【発明を実施するための形態】
【００１７】
以下、本発明の好適な実施形態について図面を用いて詳細に説明する。なお、以下に説明する実施形態は、特許請求の範囲に記載された本発明の内容を不当に限定するものではない。また、以下で説明される構成の全てが本発明の必須構成要件であるとは限らない。
【００１８】
また、以下では、本発明に係る荷電粒子線装置として、電子線を走査して走査像を取得する走査電子顕微鏡（ＳＥＭ）を例に挙げて説明するが、本発明に係る荷電粒子線装置は電子線以外の荷電粒子線（イオン等）を走査して走査像を取得する装置であってもよい。本発明に係る荷電粒子線装置は、例えば、走査透過電子顕微鏡（ＳＴＥＭ）や、半導体素子回路パターンの測長用走査電子顕微鏡、集束イオンビーム装置（ＦＩＢ装置）などであってもよい。
【００１９】
１．  走査電子顕微鏡の構成
まず、本実施形態に係る走査電子顕微鏡の構成について、図面を参照しながら説明する。図１は、本実施形態に係る走査電子顕微鏡１００の構成を示す図である。
【００２０】
走査電子顕微鏡１００では、電子プローブで試料Ｓの表面を走査したときに電子プローブの照射点から放出される電子（二次電子および反射電子）を検出して画像化することができる。この結果、走査電子顕微鏡１００では、走査像（二次電子像および反射電子像）を取得することができる。また、走査電子顕微鏡１００では、自動で走査像の歪みを補正することができる。
【００２１】
走査電子顕微鏡１００は、図１に示すように、電子源１０と、コンデンサーレンズ１２と、絞り１４と、走査コイル１６（走査偏向器）と、対物レンズ１８と、試料ステージ２０と、二次電子検出器２２と、加速電圧用高圧電源２４と、コンデンサーレンズ駆動アンプ２６と、走査信号発生器２８と、ＳＲＴ回路３０と、走査方向補正回路３２と、走査振幅調整回路３４と、走査コイル駆動アンプ３６と、走査補正装置３８と、フレームメモリ４０と、画像表示装置４２と、対物レンズ駆動アンプ４４と、を含む。
【００２２】
電子源１０は、電子線を放出する。電子源１０は、例えば、公知の電子銃である。電子線は、光軸に沿って進行する。電子源１０では、加速電圧用高圧電源２４から印加される加速電圧によって電子が加速される。
【００２３】
コンデンサーレンズ１２は、電子源１０から放出された電子線を集束させる。コンデンサーレンズ１２は、例えば、光軸に沿って複数配置されてもよい。コンデンサーレンズ１２には、コンデンサーレンズ駆動アンプ２６から駆動電流が供給される。
【００２４】
絞り１４は、対物レンズ１８に入射する電子線のうち、光軸近傍の電子線だけを通して、それ以外の電子線を遮蔽する。
【００２５】
走査コイル１６は、コンデンサーレンズ１２および対物レンズ１８で集束された電子線（電子プローブ）を偏向させる。走査コイル１６に走査コイル駆動アンプ３６で増幅された走査信号が入力されると、走査コイル１６は、走査信号に基づき電子線を偏向させる。この結果、電子プローブで試料Ｓ上を走査することができる。走査コイル１６は、例えば、電子線をＸ方向に偏向させるためのコイルと、電子線をＹ方向に偏向させるためのコイルと、を有している。また、走査コイル１６は、１段であってもよいし、光軸に沿って２段配置されていてもよい。
【００２６】
対物レンズ１８は、電子源１０から放出された電子線を集束して試料Ｓに照射する。対物レンズ１８は、試料Ｓの直前に配置された電子プローブを形成するためのレンズである。対物レンズ１８には、対物レンズ駆動アンプ４４から駆動電流が供給される。
【００２７】
走査電子顕微鏡１００は、上述した光学系の他に、レンズや絞りなどを備えていてもよい。
【００２８】
試料ステージ２０には、試料Ｓが載置される。試料ステージ２０は、試料Ｓを支持し、試料Ｓを移動させることができる。試料ステージ２０は、試料Ｓを移動させるための駆動機構を有している。
【００２９】
二次電子検出器２２は、電子線が試料Ｓに照射されることにより試料Ｓから発生した二次電子を検出する。走査電子顕微鏡１００では、二次電子検出器２２の出力信号に基づき、走査像（二次電子像）が生成される。
【００３０】
図示はしないが、走査電子顕微鏡１００は、電子線が試料Ｓに照射されることにより試料Ｓから発生した反射電子を検出する反射電子検出器を備えていてもよい。走査電子顕微鏡１００では、反射電子検出器の出力信号に基づき、走査像（反射電子像）が生成されてもよい。
【００３１】
走査電子顕微鏡１００では、走査信号発生器２８で発生した走査信号は、ＳＲＴ回路３０、走査方向補正回路３２、走査振幅調整回路３４、走査コイル駆動アンプ３６を介して、走査コイル１６に供給される。ＳＲＴ回路３０、走査方向補正回路３２、および走査振幅調整回路３４は、電子線の走査を補正する走査制御回路２を構成している。走査電子顕微鏡１００では、走査制御回路２によって走査信号発生器２８で発生した走査信号を補正することにより、歪みのない（歪みの少ない）走査像を取得することができる。
【００３２】
図２は、走査信号発生器２８、ＳＲＴ回路３０、走査方向補正回路３２、走査振幅調整回路３４、走査コイル駆動アンプ３６を説明するための図である。
【００３３】
走査信号発生器２８は、走査コイル１６を駆動させるための走査信号を発生させる。走
査信号は、例えば、電子線をラスター走査させるための信号である。ラスター走査とは、電子線を一次元的に走査して走査線を得、当該走査線をその垂直方向に走査して、二次元的な画像を得る手法である。走査信号は、横（水平）方向（走査線の方向）の走査を行う走査信号Ｈと、縦方向（走査線に垂直な方向）の走査を行う走査信号Ｖと、で構成されている。走査信号Ｈは、例えば、のこぎり波状の信号波形を有しており、走査信号Ｖは、例えば、ステップ状の信号波形を有している。
【００３４】
ＳＲＴ（ｓｃａｎ  ｒｏｔａｔｉｏｎ）回路３０は、電子線の走査方向の回転を調整するための回路である。ＳＲＴ回路３０は、例えば、試料ステージ２０のＸ方向と、画面の横方向と、を一致させるために用いられる。ＳＲＴ回路３０は、走査信号発生器２８で発生した走査信号に、電子線の走査方向を回転させるためのスキャンローテーション信号を付与する（スキャンローテーション信号を重畳する）。スキャンローテーションとは、電子線の走査方向を回転させることで電子線の走査領域を回転させることをいう。スキャンローテーションを行うことで、走査像を画面上で回転させることができる。
【００３５】
走査方向補正回路３２は、電子線の走査方向を補正するための回路である。走査方向補正回路３２は、例えば、電子線の横方向の走査の方向と、電子線の縦方向の走査の方向と、を直交させるために用いられる。走査方向補正回路３２は、走査信号に、電子線の走査方向を変えるための走査方向変更信号を付与する（走査方向変更信号を重畳する）。これにより、電子線の横方向の走査の方向および電子線の縦方向の走査の方向を、それぞれ変化させることができる。
【００３６】
走査振幅調整回路３４は、走査信号の振幅を調整するための回路である。走査信号の振幅を変えることで、走査領域の大きさを変えることができる。これにより、走査像の倍率を変えることができる。
【００３７】
走査コイル駆動アンプ３６は、走査信号を増幅して、走査コイル１６に供給する。
【００３８】
フレームメモリ４０は、図１に示すように、二次電子検出器２２の検出信号を受け付けて、走査像（画像データ）を記憶する。フレームメモリ４０は、例えば、１フレーム分の記憶画素を備えている。二次電子検出器２２の検出信号は、フレームメモリ４０内の、走査信号に応じたアドレスの記憶画素に記憶される。
【００３９】
具体的には、フレームメモリ４０に検出信号を記憶させる際には、アドレス発生器（図示せず）が、走査信号に応じて、フレームメモリ４０の記憶画素のアドレスを選択するアドレス信号を生成し、フレームメモリ４０に出力する。二次電子検出器２２の検出信号は、フレームメモリ４０内の選択されたアドレスの記憶画素に記憶される。これにより、検出信号は、フレームメモリ４０内の電子線の走査位置に応じたアドレスの記憶画素に記憶される。この結果、フレームメモリ４０には、走査像（画像データ）が記憶される。
【００４０】
画像表示装置４２は、フレームメモリ４０に記憶された画像データを読み出して、走査像を画面に表示する。
【００４１】
走査補正装置３８は、フレームメモリ４０から歪み測定用の試料の走査像（画像データ）を取得して、電子線の走査を補正する制御を行う。走査補正装置３８の出力は、ＳＲＴ回路３０、走査方向補正回路３２、および走査振幅調整回路３４に入力される。
【００４２】
走査補正装置３８は、図２に示すように、処理部３８０と、記憶部３８１と、を含む。
【００４３】
記憶部３８１は、処理部３８０のワーク領域となるもので、その機能はＲＡＭや、ＲＯ
Ｍ、ハードディスクなどにより実現できる。記憶部３８１は、処理部３８０が各種の制御処理や計算処理を行うためのプログラムやデータ等を記憶している。また、記憶部３８１は、処理部３８０が各種プログラムに従って実行した算出結果等を一時的に記憶するためにも使用される。
【００４４】
処理部３８０の機能は、例えば、各種プロセッサ（ＣＰＵ、ＤＳＰ等）でプログラムを実行することにより実現することができる。なお、処理部３８０の機能の少なくとも一部を、ＡＳＩＣ（ゲートアレイ等）などの専用回路により実現してもよい。処理部３８０は、像取得部３８２と、角度測定部３８４と、周期測定部３８６と、走査制御部３８８と、を含む。なお、走査補正装置３８の各部の処理については、後述する。
【００４５】
走査電子顕微鏡１００では、走査補正装置３８で走査制御回路２を制御することにより、歪みのない（歪みの少ない）走査像を得ることができる。
【００４６】
２．  走査像の歪み補正方法
次に、本実施形態に係る走査電子顕微鏡１００における、走査像の歪み補正方法について説明する。
【００４７】
走査像の歪みの補正は、格子状の構造体を有する試料を走査電子顕微鏡１００で撮影して得られた格子画像（走査像）を用いて行われる。
【００４８】
２．１．  格子画像の取得
図３は、走査電子顕微鏡１００で、格子状の構造体を有する試料を撮影して得られた格子画像（走査像）の一例を示す図である。
【００４９】
格子状の構造体は、図３に示すように、横線部および縦線部がそれぞれ複数配列されて構成されている。横線部および縦線部は、互いに直交している。横線部は等間隔で配置されている。同様に縦線部は等間隔で配置されている。横線部の周期（間隔）と縦線部の周期（間隔）とは、等しい。横線部の周期（間隔）および縦線部の周期（間隔）は、既知である。
【００５０】
格子状の構造体を有する試料を撮影して得られた格子画像には、複数の横線部および複数の縦線部によって構成された格子状の模様が含まれる。図３に示す例では、試料は、メッシュであり、図３に示す走査像（メッシュ画像）には、メッシュの横線（横線部）およびメッシュの縦線（縦線部）がそれぞれ複数（３つ）配列されて構成された格子状の模様が見られる。
【００５１】
以下、試料の横線部と試料ステージ２０のＸ方向（基準方向）とが一致するように試料ステージ２０が調整されているものとして説明する。なお、試料ステージ２０のＸ方向と画面（走査像）のフレームの上下の辺とは平行であるものとする。
【００５２】
２．２．  角度測定
まず、図３に示す格子画像の縦線部および横線部の角度を測定する。具体的には、格子画像をフーリエ変換して、基準方向（ここでは試料ステージ２０のＸ方向、すなわち画像の上下の辺に平行な方向）に対する横線部の角度θｘ（第１角度）および基準方向に対する縦線部の角度θｙ（第２角度）を求める。なお、基準方向は特に限定されず、任意の方向に設定することができる。
【００５３】
この測定は、平行な直線群は、フーリエ空間上ではそれと直交する方向の直線状になる、という事実を利用する。
【００５４】
格子画像に対してフーリエ変換を行う前に、図４に示すように、図３に示す格子画像の縁部（四辺）をぼかす。これは、離散フーリエ変換をする際に、四辺で画像が切られ、対辺と不連続につながってしまうことによるアーティファクトを防ぐためである。なお、格子画像に縦線部および横線部が多数含まれている場合は、このアーティファクトが相対的に小さくなるため、必ずしも格子画像の縁部をぼかす必要はない。
【００５５】
図５は、図４に示す格子画像をフーリエ変換した結果を示す図である。なお、図５では、中心がＤＣ成分となる。なお、ＤＣ成分は零としている。図６は、図５に示す格子画像をフーリエ変換した結果を模式的に示す図である。
【００５６】
図５に示すフーリエ変換により現れる縦の線は、画像の縦方向に対してわずかに反時計回りに回転している（図６参照）。これは、図３に示す格子画像の横線部が画像の横方向に対してわずかに反時計回りに回転していることに対応している。同様に、図５に示すフーリエ変換により現れる横の線は、画像の横方向に対してわずかに時計回りに回転している（図６参照）。これは、図３に示す縦線部が画像の縦方向に対してわずかに時計回りに回転していることに対応している。
【００５７】
図７は、図５に示すフーリエ変換の結果の画像において、画像の中心から動径方向に輝度を積分した結果を示すグラフである。図７に示すグラフにおいて、一方のピークの現れる角度が、図５に示すフーリエ変換の縦の線の角度（すなわちθｘ＋９０°）であり、他方のピークの現れる角度が、図５に示すフーリエ変換の横の線の角度（すなわちθｙ＋９０°）である。この結果から、基準方向に対する横線部の角度θｘおよび基準方向に対する縦線部の角度θｙを求めることができる。
【００５８】
このように、格子画像をフーリエ変換して、横線部の角度θｘおよび縦線部の角度θｙを測定できたが、より精度を高めるために、実空間において角度θｘおよび角度θｙを測定する。
【００５９】
具体的には、本実施形態では、フーリエ変換により求められた横線部の角度を変化させつつ、変化させた横線部の法線方向の輝度勾配のプロファイルを取得し、取得した輝度勾配のプロファイルに基づき横線部の角度θｘを決定する。同様に、フーリエ変換により求められた縦線部の角度を変化させつつ、変化させた縦線部の法線方向の輝度勾配のプロファイルを取得し、取得した輝度勾配のプロファイルに基づき縦線部の角度θｙを決定する。
【００６０】
図８は、図３に示す格子画像の横線部の法線方向（基準方向に対して角度θｘ＋９０°傾いた方向）の輝度勾配のプロファイルである。なお、図８の横軸は格子画像の縦方向の位置であり、図８の縦軸は横線部に沿う方向（基準方向に対して角度θｘ傾いた方向）の輝度勾配の平均値である。
【００６１】
図８に示すグラフには、図３に示す格子画像に横線部が３本見えていることに対応して、横線部の下側のエッジ（横線部の下側のエッジは輝度勾配が正になる）に対応する３つの正側のピーク、および横線部の上側のエッジ（横線部の上側のエッジは輝度勾配が負になる）に対応する３つの負側のピークが確認できる。
【００６２】
ここで、図８に示すグラフの最も輝度勾配の絶対値が大きいピークは、図３の格子画像の最も明瞭なエッジに対応している。
【００６３】
図９は、図８に示す輝度勾配のプロファイルで最も絶対値が大きいピークを拡大した図
である。また、図９には、角度θｘに＋０．３°および−０．３°を加えたときの輝度勾配のプロファイルを拡大したものを、併せて示している。
【００６４】
図９に示すように、角度θｘ＋０．３°および角度θｘ−０．３°よりも角度θｘのときのピークのほうが絶対値が大きい。このことは、角度θｘ＋０．３°および角度θｘ−０．３°よりも角度θｘの方が実空間での横線部の角度の測定値として正しいことを意味している。このように、本工程では、フーリエ空間で求めた横線部の角度θｘの近傍で、実空間での角度としてより確からしい角度を探し、その角度を改めて横線部の角度θｘとする。
【００６５】
縦線部の角度θｙについても同様に、フーリエ空間で求めた縦線部の角度θｙの近傍で、実空間での角度としてより確からしい角度を探し、その角度を改めて縦線部の角度θｙとする。
【００６６】
なお、格子画像に横線部および縦線部が多数含まれている場合には、フーリエ変換での測定で十分な精度が得られるため、上述した実空間での測定は行わなくてもよい。
【００６７】
２．３．  周期測定
次に、格子画像において横線部の周期、および縦線部の周期を測定する。
【００６８】
上記の横線部の角度θｘを求める工程において得られた角度θｘを用いて、横線部の法線方向の輝度勾配のプロファイルを取得し、当該輝度勾配のプロファイルから横線部の周期を求める。
【００６９】
図１０は、格子画像の横線部の法線方向の輝度勾配のプロファイルである。なお、図１０に示す輝度勾配のプロファイルは、図８に示す輝度勾配のプロファイルと同じである。
【００７０】
横線部の周期は、図１０に示す格子画像の横線部の法線方向の輝度勾配のプロファイルから求めることができる。図１０に示す輝度勾配のプロファイルに現れるピークの位置が横線部のエッジの位置に対応する。そのため、例えば、横線部の下側のエッジに対応する正側のピーク間の間隔から横線部の周期を求めることができる。また、横線部の上側のエッジに対応する負側のピーク間の間隔からも横線部の周期を求めることができる。正側のピーク間の間隔から求めた横線部の周期と負側のピーク間の間隔から求めた横線部の周期との平均値を、本測定の測定結果（横線部の周期）としてもよい。
【００７１】
なお、加速電圧、作動距離、試料印加電圧などの条件によっては、走査像のコントラストが変化し、輝度勾配のプロファイルのピークがどのエッジに対応するのか、判別が難しい場合がある。
【００７２】
図１１は、格子画像の一例を示す図である。図１２は、図１１に示す格子画像の横線部の法線方向の輝度勾配のプロファイルである。なお、図１２では、正側のピークについてピークの絶対値が大きい順にＥ１、Ｅ２、Ｅ３、・・・、Ｅ７の番号を伏している。
【００７３】
図１２に示す輝度勾配のプロファイルおいて、絶対値が大きい順にピークＥ１、ピークＥ２、ピークＥ３を選択しても、ピークＥ１、ピークＥ２は下側のエッジに対応し、ピークＥ３は上側のエッジに対応するため、横線部の周期を測定するためのピークとして用いることができない。以下、図１２に示す輝度勾配のプロファイルから横線部の周期を測定する方法について説明する。
【００７４】
最も輝度勾配の絶対値が大きいピークは、正側のピークであるピークＥ１であるため、
まず、正側のピークから横線部の下側のエッジに対応する３本の正側のピークを探す。具体的には、ある閾値（例えば輝度勾配の標準偏差）以上の輝度勾配を持つピークを見つけて、輝度勾配の降順にソートする。すなわち、ピークＥ１、ピークＥ２、ピークＥ３、ピークＥ４、ピークＥ５、ピークＥ６、ピークＥ７の順に並べる。
【００７５】
次に、７つのピークから３つのピークを取り出し、ピークの間隔が等間隔であり（例えば間隔が±３％以内）、かつ、ピークの間隔の平均値が試料の横線部の間隔（あらかじめ知られている試料の横線部のピッチ、公称のピッチ）に近い（例えば±２０％以内）という条件を満たす組み合わせを探す。
【００７６】
７つのピークから３つのピークを取り出す際には、最小輝度勾配の降順に調べる。具体的には、（Ｅ１，Ｅ２，Ｅ３）の組み合わせについて上記の条件を満たすか調べた後に、（Ｅ１，Ｅ２，Ｅ４）を調べ、その後（Ｅ１，Ｅ３，Ｅ４）、（Ｅ２，Ｅ３，Ｅ４）、（Ｅ１，Ｅ２，Ｅ５）、・・・の順に調べる。そして、上記の条件を満たす３つのピークが見つかった時点でその組み合わせを３つの正側のピークとし、その時点で処理を終了する。すなわち、全部の組み合わせ（３５通り）を調べる前に上記の条件を満たすものがあれば、その時点で処理を終了する。そして、この３つの正側のピークから横線部の周期を測定する。図１２に示す例では、ピークＥ３、ピークＥ４、ピークＥ５が条件を満たす３つのピークとして取り出される。
【００７７】
負側のピークについても同様にして、横線部の周期を測定するが、３つのピークの組み合わせを探す際の条件は、ピークの間隔が等間隔であり、かつ、ピークの間隔の平均値が試料の横線部の間隔に近いという条件に加えて、ピークの間隔が正側のピークから測定された横線部の周期の測定値に近いという条件を加える。
【００７８】
このようにして、３つの正側のピークから求められた横線部の周期と、３つの負側のピークから求められた横線部の周期と、の平均値を、本工程の横線部の周期の測定値とする。
【００７９】
なお、縦線部の周期についても、上述した横線部の周期と同様に、格子画像の縦線部の法線方向の輝度勾配のプロファイルから求めることができる。
【００８０】
２．４．  走査制御
次に、横線部の角度θｘ、縦線部の角度θｙ、横線部の周期、および縦線部の周期に基づいて、電子線の走査の補正するための制御を行う。以下では、走査コイル１６が１段であるものとして説明する。
【００８１】
図１３は、横線部の１周期分に対応する基本ベクトルｅ１、および縦線部の１周期分に対応する基本ベクトルｅ２を示す図である。
【００８２】
測定された角度θｘ、角度θｙ、横線部の周期、および縦線部の周期から、横線部の１周期分に対応する基本ベクトルｅ１＝（ｘ１，ｙ１）、および縦線部の１周期分に対応する基本ベクトルｅ２＝（ｘ２，ｙ２）を求めることができる。
【００８３】
基本ベクトルｅ１の向きは、横線部に沿った方向（基準方向に対して角度θｘ傾いた方向）であり、基本ベクトルｅ１の大きさ（長さ）は、横線部の１周期分の大きさ（長さ）である。また、基本ベクトルｅ２の向きは、縦線部に沿った方向（基準方向に対して角度θｙ傾いた方向）であり、基本ベクトルｅ２の大きさ（長さ）は、縦線部の１周期分の大きさ（長さ）である。
【００８４】
なお、ｘ１、ｙ１、ｘ２、ｙ２は、１周期分の長さを１に規格化した値とする。ｘ１、ｙ１、ｘ２、ｙ２から、後述する式（１）、式（２）に示すようにして、走査像の歪みを４つの歪みの成分に分離して求めることができる。
【００８５】
電子線を走査して（ｉ，ｊ）番目のピクセル（画像の中心を（０，０）とし、右方向を＋ｘ、下方向を＋ｙとする座標系とする）の信号を取ろうとするとき、試料面への到達位置（ｘ，ｙ）は、次式のように表される。
【００８６】
【数１】
2018195545.tif 000003
【００８７】
ここで、ｇは走査信号の波形の１ピクセル分を表す回路定数である。Ｒ（θ）は角度θの回転行列である。θｓｒｔはＳＲＴ回路３０における走査方向の回転角度である。Ｄは走査方向補正回路３２の作用を表す行列であり、次式で表される。
【００８８】
【数２】
2018195545.tif 000004
【００８９】
ｄＨは電子線の横方向の走査の方向を調整するために、走査信号Ｈの波形の一部を、走査信号Ｖが入力される走査コイル１６（電子線をＸ方向に偏向させるコイル）に入力するためのＤＡＣ（Ｄ／Ａコンバーター）の規格化ＤＡＣ値（−１〜＋１）である。ｄＶは電子線の縦方向の走査の方向を調整するために、走査信号Ｖの波形の一部を、走査信号Ｈが入力される走査コイル１６（電子線をＹ方向に偏向させるコイル）に入力するためのＤＡＣの規格化ＤＡＣ値（−１〜＋１）である。εは回路定数である。
【００９０】
Ｋは走査振幅調整回路３４の作用を表す行列であり、次式で表される。
【００９１】
【数３】
2018195545.tif 000005
【００９２】
ＫＨは走査信号Ｈの振幅を調整するＤＡＣの規格化ＤＡＣ値（０〜１）である。ＫＶは走査信号Ｖの振幅を調整するＤＡＣの規格化ＤＡＣ値（０〜１）である。ｆは走査コイル駆動アンプ３６のゲインを表す回路定数である。Ａは走査コイル１６の偏向感度、配置方向、対物レンズ１８との距離、対物レンズ１８のレンズ作用、ラーモア（Ｌａｒｍｏｒ）回転、非点などを表す２×２行列であり、走査制御回路２の設定には依存しない定数行列である。
【００９３】
歪みのない走査像を得るためには、試料面への到達位置（ｘ，ｙ）が、次式のようになればよい。
【００９４】
【数４】
2018195545.tif 000006
【００９５】
ここで、Ｗは倍率１倍の基準幅、Ｍは走査電子顕微鏡１００の観察倍率、Ｎは、走査像の横のピクセル数である。
【００９６】
しかし、実際には、倍率誤差、角度誤差、楕円歪みのために、走査像上（１，０）に見えなければならないベクトルがｅ１＝（ｘ１，ｙ１）に見え、（０，１）に見えなければならないベクトルがｅ２＝（ｘ２，ｙ２）に見えてしまったとする（図１３参照）。
【００９７】
このとき、電子線の試料面への到達位置は、次式のようになってしまったといえる。
【００９８】
【数５】
2018195545.tif 000007
【００９９】
歪み行列Ｔは、歪みの成分（等方的倍率誤差β、角度誤差Δθ、楕円歪み実数部σｘ、楕円歪み虚数部σｙ）ごとに分離して表すと、次式のように表される。
【０１００】
【数６】
2018195545.tif 000008
【０１０１】
図１４は、等方的倍率誤差βを説明するための図である。なお、図１４では、本来破線のように見えるべきものが、等方的倍率誤差βにより実線のように見えることを示している。
【０１０２】
走査像に等方的倍率誤差βがある場合、図１４に示すように、本来見えるべきものよりも、等方的に大きく（または小さく）見える。
【０１０３】
図１５は、角度誤差Δθを説明するための図である。なお、図１５では、本来破線のように見えるべきものが、角度誤差Δθにより実線のように見えることを示している。
【０１０４】
走査像に角度誤差Δθがある場合、図１５に示すように、本来見えるべきものが、傾いて（画像の中心を回転中心として回転して）見える。
【０１０５】
図１６は、楕円歪み実数部σｘを説明するための図である。図１７は、楕円歪み虚数部σｙを説明するための図である。なお、図１６および図１７では、本来破線のように見えるべきものが、楕円歪みにより実線のように見えることを示している。
【０１０６】
楕円歪みは、本来、円として見えるべきものが、楕円として見られるような歪みである。なお、楕円歪み実数部σｘは楕円の長軸方向および短軸方向が画面の横・縦と一致するような歪みであり、楕円歪み虚数部σｙは、長軸方向および短軸方向が画面の横・縦と４５°をなすような歪みである。
【０１０７】
以下では、電子線の試料面への到達位置（ｘ，ｙ）が、理想的な位置（ｘ，ｙ）ｉｄｅａｌになるためには、走査制御回路２の設定をどのように変えればよいかを説明する。
【０１０８】
θｓｒｔをθｓｒｔ＋Δθｓｒｔに、ＤをＤ’に、ＫをＫ’に、それぞれ変えることによって、（ｘ，ｙ）が（ｘ，ｙ）ｉｄｅａｌになったとして方程式をたてると次式のようになる。
【０１０９】
【数７】
2018195545.tif 000009
【０１１０】
ただし、Ｉは２×２の単位行列である。
【０１１１】
よって、次式が導かれる。
【０１１２】
【数８】
2018195545.tif 000010
【０１１３】
ただし、（δｘ，δｙ）は以下のようにおいた。
【０１１４】
【数９】
2018195545.tif 000011
【０１１５】
つまり、理想的な走査像を得るためには、次式のようにすればよいことがわかる。
【０１１６】
【数１０】
2018195545.tif 000012
【０１１７】
上記式を成分ごとに書き下せば、走査方向補正回路３２および走査振幅調整回路３４の規格化ＤＡＣ値ｄＨ、ｄＶ、ｋＨ、ｋＶをどのように変えればよいかがわかる（次式（３）参照）。
【０１１８】
【数１１】
2018195545.tif 000013
【０１１９】
３．  走査補正装置の処理
図１８は、走査補正装置３８における走査像の歪みを補正する処理の流れの一例を示すフローチャートである。
【０１２０】
まず、像取得部３８２が格子画像を取得する（Ｓ１００）。
【０１２１】
像取得部３８２は、格子状の構造体を有する試料を撮影して得られた格子画像を取得する。像取得部３８２は、フレームメモリ４０から格子画像（画像データ）を読み出して、格子画像を取得する。
【０１２２】
次に、角度測定部３８４が格子画像をフーリエ変換して、基準方向に対する横線部の角度θｘおよび基準方向に対する縦線部の角度θｙを求める（Ｓ１０２）。
【０１２３】
角度測定部３８４は、上述した「２．２．  角度測定」で説明した手法により、横線部の角度θｘおよび縦線部の角度θｙを求める。
【０１２４】
次に、周期測定部３８６が格子画像における横線部の周期、および格子画像における縦線部の周期を測定する（Ｓ１０４）。
【０１２５】
周期測定部３８６は、格子画像の横線部の法線方向の輝度勾配のプロファイルから横線部の周期を求め、格子画像の縦線部の法線方向の輝度勾配のプロファイルから縦線部の周期を求める。周期測定部３８６は、上述した「２．３．  周期測定」で説明した手法により、横線部の周期および縦線部の周期を求める。
【０１２６】
次に、走査制御部３８８が横線部の角度θｘ、縦線部の角度θｙ、横線部の周期、および縦線部の周期に基づいて、電子線の走査を補正する制御を行う（Ｓ１０６）。
【０１２７】
走査制御部３８８は、横線部の角度θｘ、縦線部の角度θｙ、横線部の周期、および縦線部の周期から講師画像において横線部の１周期分に対応する第１基本ベクトルｅ１および縦線部の１周期分に対応する第２基本ベクトルｅ２を求め、第１基本ベクトルｅ１および第２基本ベクトルｅ２に基づき電子線の走査を補正する制御を行う。具体的には、走査制御部３８８は、第１基本ベクトルｅ１および第２基本ベクトルｅ２に基づき、ＳＲＴ回路３０、走査方向補正回路３２、および走査振幅調整回路３４を制御するための制御信号
（ＤＡＣ値）を生成して、電子線の走査を補正する制御を行う。走査制御部３８８は、上述した「２．４．  走査制御」で説明した手法により、電子線の走査を補正する制御を行う。なお、電子線の走査を補正するために必要なパラメーター（試料の縦線部の周期、試料の横線部の周期、各回路の回路定数等）は、あらかじめ記憶部３８１に記憶されている。
【０１２８】
走査制御部３８８が生成した制御信号（ＤＡＣ値）は、記憶部３８１に記憶される。走査制御部３８８は、記憶部３８１から制御信号を読み出して、制御信号を走査制御回路２に出力する。この結果、走査電子顕微鏡１００では、電子線の走査が常に補正されることとなり、歪みのない（歪みの少ない）走査像を取得することができる。
【０１２９】
４．  特徴
走査電子顕微鏡１００は、例えば、以下の特徴を有する。
【０１３０】
走査電子顕微鏡１００では、角度測定部３８４が、横線部と縦線部とがそれぞれ複数配列されて構成されている格子状の構造体を有する試料を撮影して得られた格子画像をフーリエ変換して、基準方向に対する横線部の角度θｘおよび基準方向に対する縦線部の角度θｙを求める。また、周期測定部３８６が格子画像において横線部の周期、および縦線部の周期を測定し、走査制御部３８８が角度θｘ、角度θｙ、横線部の周期、および縦線部の周期に基づいて、電子線の走査を補正する制御を行う。そのため、走査電子顕微鏡１００では、走査像の歪みの補正を自動で行うことができる。これにより、走査像の歪みの補正にユーザーが介在しないため、装置の調整のばらつきを低減できる。また、装置の調整のための作業時間を低減できる。また、走査電子顕微鏡１００によれば、装置の生産性、装置の保守にかかるコストを低減できる。さらに、ユーザーが常に精度の良い状態で装置を使用することができる。
【０１３１】
走査電子顕微鏡１００では、走査制御部３８８は横線部の角度θｘ、縦線部の角度θｙ、横線部の周期、および縦線部の周期から、格子画像において、横線部の１周期分に対応する第１基本ベクトルｅ１および縦線部の１周期分に対応する第２基本ベクトルｅ２を求め、第１基本ベクトルｅ１および第２基本ベクトルｅ２に基づいて、電子線の走査を補正する制御を行う。そのため、走査像の歪みの補正を自動で行うことができる。
【０１３２】
走査電子顕微鏡１００では、周期測定部３８６は、格子画像の横線部の法線方向の輝度勾配のプロファイルから横線部の周期を求め、格子画像の縦線部の法線方向の輝度勾配のプロファイルから縦線部の周期を求める。そのため、走査電子顕微鏡１００では、走査像の歪みの補正を自動で行うことができる。
【０１３３】
本実施形態に係る走査像の歪み補正方法は、横線部と縦線部とがそれぞれ複数配列されて構成されている格子状の構造体を有する試料を撮影して得られた格子画像をフーリエ変換して、基準方向に対する横線部の角度θｘおよび基準方向に対する縦線部の角度θｙを求める工程と、格子画像において前記横線部の周期、および縦線部の周期を測定する工程と、第１角度、第２角度、横線部の周期、および縦線部の周期に基づいて、電子線の走査を補正する制御を行う工程と、を含む。そのため、容易に、走査像の歪みを補正することができる。
【０１３４】
５．  変形例
なお、本発明は上述した実施形態に限定されず、本発明の要旨の範囲内で種々の変形実施が可能である。
【０１３５】
５．１．  第１変形例
上述した実施形態では、走査コイル１６が１段の場合について説明したが、走査コイル１６が光軸に沿って２段配置されていてもよい。この場合、各段の走査コイル１６の各々について、上記式（３）に示すようにＤＡＣ値を変化させればよい。
【０１３６】
本変形例においても、上述した実施形態と同様の作用効果を奏することができる。
【０１３７】
５．２．  第２変形例
上述した実施形態では、横線部の周期および縦線部の周期を格子画像の輝度勾配のプロファイルから求めたが（「２．３．  周期測定」参照）、横線部の周期および縦線部の周期を測定する手法はこれに限定されない。例えば、格子画像をフーリエ変換して、横線部の周期および縦線部の周期を求めてもよい。格子画像をフーリエ変換して得られるフーリエ空間では、横線部および縦線部の各々について、１周期分の空間周波数に相当する点にピークが現れるので、そのピークと中心との間の距離から、横線部の周期および縦線部の周期を求めることができる。この手法は、格子画像に横線部および縦線部が多数含まれている場合に有効である。
【０１３８】
本変形例においても、上述した実施形態と同様の作用効果を奏することができる。
【０１３９】
５．３．  第３変形例
上述した実施形態では、格子状の構造体を含む試料を試料ステージ２０に載置して、格子画像を取得したが、試料ステージ２０にあらかじめ格子状の構造体が標準試料として搭載されていてもよい。
【０１４０】
図１９は、試料ステージ２０に搭載された歪み測定用の標準試料４を模式的に示す図である。なお、図１９では、試料ステージ２０を光軸方向からみた（平面視した）図である。
【０１４１】
図１９に示すように、試料ステージ２０の端部には、標準試料４が搭載されている。標準試料４は、横線部４ａと縦線部４ｂとが複数配列された格子状の構造体を有している。横線部４ａの周期（間隔）および縦線部４ｂの周期（間隔）の情報は、あらかじめ走査補正装置３８の記憶部３８１に記憶されている。
【０１４２】
本変形例に係る走査電子顕微鏡では、例えば、ユーザーが任意の観察条件において、歪み補正開始の指示を入力すると、試料ステージ２０が自動的に標準試料４の位置に移動し、オートアライメント、オートフォーカス、オートスティグマなどの処理が行われ、標準試料の画像（格子画像）が撮影される。そして、上述した実施形態と同様に、走査像の歪みの補正が行われる。そのため、任意の観察条件において、歪みのない（歪みの少ない）走査像を、容易に得ることができる。
【０１４３】
また、このような走査電子顕微鏡において、ユーザーが全条件での歪み補正開始の指示を入力すると、試料ステージ２０が自動的に標準試料４の位置に移動し、加速電圧、作動距離、試料印加電圧を多数の条件（例えば加速電圧１０通り、作動距離４通り、試料印加電圧２通り）にセットしながら、標準試料の画像（格子画像）が撮影される。そして、上述した実施形態と同様に、走査像の歪みの補正が行われる。この結果、様々な観察条件において、観察条件に応じた電子線の走査の補正が行われ、歪みのない（歪みの少ない）走査像を得ることができる。なお、任意の条件における走査像の歪みの補正を行う際には、上記で取得された多数の条件でのデータを補間して用いてもよい。
【０１４４】
なお、上述した実施形態及び変形例は一例であって、これらに限定されるわけではない。例えば各実施形態及び各変形例は、適宜組み合わせることが可能である。
【０１４５】
本発明は、実施の形態で説明した構成と実質的に同一の構成（例えば、機能、方法および結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【０１４６】
２…走査制御回路、４…標準試料、４ａ…横線部、４ｂ…縦線部、１０…電子源、１２…コンデンサーレンズ、１４…絞り、１６…走査コイル、１８…対物レンズ、２０…試料ステージ、２２…二次電子検出器、２４…加速電圧用高圧電源、２６…コンデンサーレンズ駆動アンプ、２８…走査信号発生器、３０…ＳＲＴ回路、３２…走査方向補正回路、３４…走査振幅調整回路、３６…走査コイル駆動アンプ、３８…走査補正装置、４０…フレームメモリ、４２…画像表示装置、４４…対物レンズ駆動アンプ、１００…走査電子顕微鏡、３８０…処理部、３８１…記憶部、３８２…像取得部、３８４…角度測定部、３８６…周期測定部、３８８…走査制御部
【図１】
2018195545.tif 000014
【図２】
2018195545.tif 000015
【図３】
2018195545.tif 000016
【図４】
2018195545.tif 000017
【図５】
2018195545.tif 000018
【図６】
2018195545.tif 000019
【図７】
2018195545.tif 000020
【図８】
2018195545.tif 000021
【図９】
2018195545.tif 000022
【図１０】
2018195545.tif 000023
【図１１】
2018195545.tif 000024
【図１２】
2018195545.tif 000025
【図１３】
2018195545.tif 000026
【図１４】
2018195545.tif 000027
【図１５】
2018195545.tif 000028
【図１６】
2018195545.tif 000029
【図１７】
2018195545.tif 000030
【図１８】
2018195545.tif 000031
【図１９】
2018195545.tif 000032